(57)【要約】【課題】  部品点数が削減された光モジュールを提供する。【解決手段】  メインハウジング１１０と、メインハウジング１１０の第１の部品取り付け部１１１に保持されたフィルタ保持部材１２０と、メインハウジング１１０の第２の部品取り付け部１１２に保持された発光部品１３０と、メインハウジング１１０の第３の部品取り付け部１１３に保持された受光部品１４０と、フィルタ保持部材１２０に保持された第１の光学フィルタ１６１とを備える。フィルタ保持部材１２０は、第１の部品取り付け部１１１と第２の部品取り付け部１１２を結ぶ直線に対してほぼ４５°の角度を持った第１の面を有しており、第１の面に第１の光学フィルタ１６１が載置されている。【選択図】          図２
2005202157.tif 000002
【特許請求の範囲】
【請求項１】
光ファイバーを固定可能な第１の部品取り付け部、前記第１の部品取り付け部と対向する位置に設けられた第２の部品取り付け部、並びに、前記第１の部品取り付け部と前記第２の部品取り付け部を結ぶ直線に対して第１の角度を持った位置に設けられた第３の部品取り付け部を有するメインハウジングと、
前記メインハウジングの前記第１の部品取り付け部に保持されたフィルタ保持部材と、
前記メインハウジングの前記第２の部品取り付け部に保持された発光部品と、
前記メインハウジングの前記第３の部品取り付け部に保持された受光部品と、
前記フィルタ保持部材に保持された第１の光学フィルタとを備え、
前記フィルタ保持部材は、前記直線に対して前記第１の角度とは異なる第２の角度を持った第１の面を有し、前記フィルタ保持部材の前記第１の面に前記第１の光学フィルタが載置されていることを特徴とする光モジュール。
【請求項２】
前記受光部品に対して実質的に垂直に保持された第２の光学フィルタをさらに備えることを特徴とする請求項１に記載の光モジュール。
【請求項３】
前記フィルタ保持部材は、前記受光部品に対して実質的に垂直な第２の面をさらに有しており、前記第２の光学フィルタは前記フィルタ保持部材の前記第２の面に載置されていることを特徴とする請求項２に記載の光モジュール。
【請求項４】
前記第２の角度は、前記第１の角度の半分であることを特徴とする請求項１乃至３のいずれか１項に記載の光モジュール。
【請求項５】
前記第１の角度はほぼ９０°であり、前記第２の角度はほぼ４５°であることを特徴とする請求項４に記載の光モジュール。
【請求項６】
前記第１の光学フィルタは、前記光ファイバーより供給される光を反射し、前記発光部品が発生する光を透過する性質を有していることを特徴とする請求項１乃至５のいずれか１項に記載の光モジュール。
【請求項７】
前記第２の光学フィルタは、前記光ファイバーより供給される光を透過し、前記発光部品が発生する光を反射する性質を有していることを特徴とする請求項２乃至６のいずれか１項に記載の光モジュール。
【請求項８】
前記フィルタ保持部材は、前記光ファイバーが挿入される筒状部と、前記筒状部の一端に設けられ、いずれも前記第１の面を持った第１及び第２の突出部を有していることを特徴とする請求項１乃至７のいずれか１項に記載の光モジュール。
【請求項９】
前記フィルタ保持部材の前記第１及び第２の突出部は、いずれも前記第２の面をさらに持っていることを特徴とする請求項８に記載の光モジュール。
【請求項１０】
前記フィルタ保持部材は、前記筒状部の外周部分に設けられ、前記メインハウジングに対する前記フィルタ保持部材のストッパーとなるリング部をさらに有していることを特徴とする請求項８又は９に記載の光モジュール。
【請求項１１】
前記フィルタ保持部材は、前記筒状部に挿入され、前記光ファイバーの位置を光軸に沿った方向に調整可能なスライダをさらに備えていることを特徴とする請求項８乃至１０のいずれか１項に記載の光モジュール。
【請求項１２】
前記スライダは、フェルールを挿入可能な筒状構造を有していることを特徴とする請求項１１に記載の光モジュール。
【請求項１３】
前記フィルタ保持部材は、前記筒状部の内周部分に設けられ、前記スライダのストッパーとなるストッパー部をさらに有していることを特徴とする請求項１１又は１２に記載の光モジュール。
【請求項１４】
前記フィルタ保持部材は、前記光ファイバーを前記直線に対して所定の傾きを持って固定可能に構成されていることを特徴とする請求項１乃至１３のいずれか１項に記載の光モジュール。
【請求項１５】
前記所定の傾きが５°以下であることを特徴とする請求項１４に記載の光モジュール。
【請求項１６】
前記メインハウジングは、一端に前記第１の部品取り付け部が設けられ、他端に前記第２の部品取り付け部が設けられた筒状構造を有していることを特徴とする請求項１乃至１５のいずれか１項に記載の光モジュール。
【発明の詳細な説明】
【技術分野】
【０００１】
本発明は光モジュールに関し、特に、双方向通信が可能な光モジュールに関する。
【背景技術】
【０００２】
近年におけるインターネットの発展により、人々は多くの情報にリアルタイムにアクセスし、また多くの情報を扱うことが可能となっている。情報の伝送には、銅線、光ファイバー、無線通信等が用いられているが、大容量の情報を高速に伝送するためには光ファイバーが特に優れており、今後、各家庭に光ファイバーが敷設されることになるものと予想される。
【０００３】
しかしながら、端末側における情報処理には光信号ではなく電気信号が用いられることから、端末間を光ファイバーにより接続する場合には、光ファイバーと端末との間にいわゆる光モジュールを介在させる必要がある。光モジュールは、光ファイバーより受信した光信号を電気信号に変換して端末に供給するとともに、端末より与えられた電気信号を光信号に変換して光ファイバーに供給するための装置であり、従来より種々のタイプの光モジュールが提案されている。
【０００４】
図１０は、特許文献１に記載された従来の光モジュール１０の構造を示す略断面図である。
【０００５】
図１０に示す光モジュール１０は、メインハウジング１２と、メインハウジング１２に保持された光ファイバー１４、発光部品１６及び受光部品１８と、メインハウジング１２内に設けられたフィルタ保持部材２０と、フィルタ保持部材２０に保持された光学フィルタ２２とを備えている。図１０に示す光モジュール１０では、光ファイバー１４と発光部品１６は一直線上に配置され、受光部品１８はこの直線に対して９０°の角度を持って配置されている。また、光学フィルタ２２は、光ファイバー１４より供給される受信光１４ａを反射し、発光部品１６が発生する送信光１６ａを透過する性質を有しており、フィルタ保持部材２０は、この直線に対して光学フィルタ２２を４５°の角度を持って保持している。このため、光ファイバー１４より供給される受信光１４ａは、光学フィルタ２２により反射して受光部品１８へと入射する一方、発光部品１６が発生する送信光１６ａは、光学フィルタ２２を透過して光ファイバー１４へと供給されることになる。
【０００６】
これにより、光ファイバー１４より受信した光信号を電気信号に変換して端末に供給するとともに、端末より与えられた電気信号を光信号に変換して光ファイバー１４に供給することが可能となり、光信号を用いた端末間における双方向通信を行うことが可能となる。
【特許文献１】登録実用新案第３０９５９０２号公報
【発明の開示】
【発明が解決しようとする課題】
【０００７】
しかしながら、特許文献１に記載された光モジュール１０では、光学フィルタ２２を保持するために別途専用のフィルタ保持部材２０を用いていることから、部品点数が多いという問題があった。
【０００８】
しかも、特許文献１に記載された光モジュール１０では、発光部品１６が発生する送信光１６ａが迷光となってメインハウジング１２内で散乱することがあり、これが受光部品１８に達すると、受信信号に対するノイズとなってしまうという問題もあった。この問題を解決するためには、受光部品１８側にもう一つの光学フィルタを配置することによって迷光を遮断することが効果的であると考えられるが、この光学フィルタ用に別のフィルタ保持部材を設けると部品点数がさらに増大してしまう。しかも、フィルタ保持部材は小型で且つ変則的な形状を有していることから、このような部品の点数が増えると製造工程が複雑となり、製品のコストを増大させてしまう。
【０００９】
したがって、本発明の目的は、双方向通信が可能な改良された光モジュールを提供することである。
【００１０】
また、本発明の他の目的は、部品点数が削減された光モジュールを提供することである。
【００１１】
また、本発明のさらに他の目的は、小型で且つ変則的な形状を有する部品を削減しつつ、迷光に起因するノイズが低減された光モジュールを提供することである。
【課題を解決するための手段】
【００１２】
本発明による光モジュールは、光ファイバーを固定可能な第１の部品取り付け部、前記第１の部品取り付け部と対向する位置に設けられた第２の部品取り付け部、並びに、前記第１の部品取り付け部と前記第２の部品取り付け部を結ぶ直線に対して第１の角度を持った位置に設けられた第３の部品取り付け部を有するメインハウジングと、前記メインハウジングの前記第１の部品取り付け部に保持されたフィルタ保持部材と、前記メインハウジングの前記第２の部品取り付け部に保持された発光部品と、前記メインハウジングの前記第３の部品取り付け部に保持された受光部品と、前記フィルタ保持部材に保持された第１の光学フィルタとを備え、前記フィルタ保持部材は、前記直線に対して前記第１の角度とは異なる第２の角度を持った第１の面を有し、前記フィルタ保持部材の前記第１の面に前記第１の光学フィルタが載置されていることを特徴とする。
【００１３】
本発明によれば、光学フィルタを保持するフィルタ保持部材が光ファイバーを保持する役割を兼ねていることから、部品点数を削減することが可能となる。
【００１４】
また、前記受光部品に対して実質的に垂直に保持された第２の光学フィルタをさらに備えることが好ましい。これによれば、発光部品が発した光が迷光となってメインハウジング内で散乱した場合であっても、これが受光部品に達することなく、第２の光学フィルタによって遮断されることから、迷光に起因するノイズを低減することが可能となる。この場合、前記フィルタ保持部材は、前記受光部品に対して実質的に垂直な第２の面をさらに有しており、前記第２の光学フィルタは前記フィルタ保持部材の前記第２の面に載置されていることがより好ましい。これによれば、部品点数を削減しつつ、迷光に起因するノイズを低減することが可能となる。しかも、２つの光学フィルタを一つのフィルタ保持部材によって保持していることから、これら光学フィルタの位置関係にずれが生じることがほとんど無く、これらを精度良く位置決めすることが可能となる。
【００１５】
ここで、第２の角度は第１の角度の半分であることが好ましく、第１の角度はほぼ９０°であり、第２の角度はほぼ４５°であることがより好ましい。これによれば、第１の光学フィルタが光ファイバーより供給される光を反射し、発光部品が発生する光を透過する性質を有していれば、光ファイバーより供給される光を受光部品に入射させ、発光部品より発せられる光を光ファイバーへと供給することが可能となる。
【００１６】
また、第２の光学フィルタが光ファイバーより供給される光を透過し、発光部品が発生する光を反射する性質を有していれば、発光部品より発生した光が迷光となってメインハウジング内で散乱した場合であっても、これが受光部品に達することなく、第２の光学フィルタによって遮断される。このため、迷光に起因するノイズを低減することが可能となる。
【００１７】
また、前記フィルタ保持部材は、前記光ファイバーが挿入される筒状部と、前記筒状部の一端に設けられ、いずれも前記第１の面を持った第１及び第２の突出部を有していることが好ましい。この場合、前記フィルタ保持部材の前記第１及び第２の突出部は、いずれも前記第２の面をさらに持っていることが好ましく、前記フィルタ保持部材は、前記筒状部の外周部分に設けられ、前記メインハウジングに対する前記フィルタ保持部材のストッパーとなるリング部をさらに有していることが好ましい。
【００１８】
さらに、前記フィルタ保持部材は、前記筒状部に挿入され、前記光ファイバーの位置を光軸に沿った方向に調整可能なスライダをさらに備えていることが好ましく、前記スライダは、フェルールを挿入可能な筒状構造を有していることがより好ましい。また、前記フィルタ保持部材は、前記筒状部の内周部分に設けられ、前記スライダのストッパーとなるストッパー部をさらに有していることが好ましい。
【００１９】
また、前記フィルタ保持部材は、前記光ファイバーを前記直線に対して所定の傾きを持って固定可能に構成されていることが好ましく、この場合、前記所定の傾きは５°以下であることが好ましい。これによれば、光ファイバーの終端部が所定の傾きを持って切断されている場合であっても、この傾きによる影響を補償し、光ファイバーと発光部品を効率よく結合させることが可能となる。
【００２０】
また、前記メインハウジングは、一端に前記第１の部品取り付け部が設けられ、他端に前記第２の部品取り付け部が設けられた筒状構造を有していることが好ましい。
【発明の効果】
【００２１】
このように、本発明によれば、光学フィルタを保持するフィルタ保持部材が光ファイバーを保持する役割を兼ねていることから、部品点数を削減することが可能となる。また、受光部品に対して実質的に垂直に保持された第２の光学フィルタを設ければ、迷光に起因するノイズを低減することが可能となり、この第２の光学フィルタを上記フィルタ保持部材に保持すれば、部品点数の増大を防止しつつ、ノイズを低減することが可能となる。
【発明を実施するための最良の形態】
【００２２】
以下、添付図面を参照しながら、本発明の好ましい実施の形態について詳細に説明する。
【００２３】
図１は、本発明の好ましい実施の形態による光モジュール１００の構成を示す断面図であり、図２は、光モジュール１００の分解断面図である。
【００２４】
図１及び図２に示すように、本実施形態による光モジュール１００は、メインハウジング１１０と、メインハウジング１１０に取り付けられたフィルタ保持部材１２０、発光部品１３０及び受光部品１４０と、フィルタ保持部材１２０に保持された第１の光学フィルタ１６１及び第２の光学フィルタ１６２とを備えている。本実施形態による光モジュール１００は、光ファイバー１２１より例えば波長が１５００ｎｍの光信号を受けてこれを電気信号に変換するとともに、端末より与えられた電気信号を例えば波長が１３００ｎｍの光信号に変換して光ファイバー１２１に供給することにより、光信号を用いた端末間における双方向通信を行うために用いられる。
【００２５】
メインハウジング１１０は筒状構造を有しており、図２に示すように、その一端にはフィルタ保持部材１２０を取り付けるための第１の部品取り付け部１１１が設けられ、他端には発光部品１３０を取り付けるための第２の部品取り付け部１１２が設けられている。また、第１の部品取り付け部１１１と第２の部品取り付け部１１２を結ぶ直線１１０ａに対して９０°の角度を持った位置には、受光部品１４０を取り付けるための第３の部品取り付け部１１３が設けられている。メインハウジング１１０の材料としては、特に限定されるものではないが、機械的強度や加工精度を考慮すれば金属を用いることが好ましい。
【００２６】
フィルタ保持部材１２０は、図２に示す矢印１２０ａに沿って取り付けることにより、メインハウジング１１０の第１の部品取り付け部１１１に保持される部品であり、光信号の伝送媒体となる光ファイバー１２１及びこれを覆うファイバー被覆１２２の末端を保持するとともに、第１及び第２の光学フィルタ１６１，１６２を保持する役割を果たす。フィルタ保持部材１２０は、第１及び第２の光学フィルタ１６１，１６２を保持するフィルタ保持部１２３と、筒状構造を有し、光ファイバー１２１の終端部を保持するフェルール１２５が挿入されたスライダ１２４を備えている。フィルタ保持部１２３は、メインハウジング１１０に対して図１に示すＸ方向（図１の上下方向）及びＹ方向（図１が描かれた紙面に垂直な方向）に摺動可能であり、これによって光ファイバー１２１の位置を光軸に対して垂直方向に調整することが可能となる。また、スライダ１２４は、フィルタ保持部１２３に対して図１に示すＺ方向（図１の左右方向）に摺動可能であり、これによって光ファイバー１２１の位置を光軸に沿った方向に調整することが可能となる。フィルタ保持部１２３及びスライダ１２４の材料についても、特に限定されるものではないが、機械的強度や加工精度の観点から金属を用いることが好ましい。フィルタ保持部１２３の詳細な構造については後述する。
【００２７】
発光部品１３０は、図２に示す矢印１３０ａに沿って取り付けることにより、メインハウジング１１０の第２の部品取り付け部１１２に保持される部品であり、レーザダイオード等の発光素子１３１と、発光素子１３１が発する送信光１００ａを集光するレンズ１３２と、端末からの電気信号を受ける信号ピン１３３とを備えている。発光部品１３０は、信号ピン１３３を介して端末より電気信号を受けると、発光素子１３１によってこれを光信号に変換し、この光信号をレンズ１３２を介して光ファイバー１２１へ送出する役割を果たす。但し、発光部品１３０にレンズ１３２が含まれていることは必須でなく、これが省略されていても構わない。
【００２８】
受光部品１４０は、図２に示す矢印１４０ａに沿って取り付けることにより、メインハウジング１１０の第３の部品取り付け部１１３に保持される部品である。受光部品１４０は、フォトダイオード等の受光素子１４１と、光ファイバー１２１より受光素子１４１に与えられる受信光１００ｂを集光するレンズ１４２と、端末に電気信号を供給する信号ピン１４３とを備えている。受光部品１４０は、レンズ１４２を介して受光素子１４１に光信号が与えられると、受光素子１４１によってこれを電気信号に変換し、この電気信号を信号ピン１４３を介して端末に送出する役割を果たす。但し、受光部品１４０にレンズ１４２が含まれていることは必須でなく、これが省略されていても構わない。
【００２９】
図３は、フィルタ保持部材１２０に含まれるフィルタ保持部１２３の構造をより詳細に示す略斜視図である。
【００３０】
図３に示すように、フィルタ保持部１２３は、筒状部１５１と、筒状部１５１の一端に設けらた第１及び第２の突出部１５２、１５３と、筒状部１５１の外周部分に設けられたリング部１５４とを有している。リング部１５４は、メインハウジングに対するフィルタ保持部材１２０のストッパーとして機能する。
【００３１】
また、第１及び第２の突出部１５２、１５３は、図３に示すようにいずれも筒状部１５１の端部を斜めに切断し、さらに一部分を切り欠いた形状を有している。第１及び第２の突出部１５２、１５３は、いずれも送信光１００ａの光路に対して４５°の傾きを持った面（第１の面）１５５を有しており、この第１の面１５５に第１の光学フィルタ１６１が保持される。これにより、第１の光学フィルタ１６１は送信光１００ａの光路に対して４５°の角度をもって保持されることになる。さらに、第１及び第２の突出部１５２、１５３はいずれも、受光部品１４０に対して実質的に垂直な面（第２の面）１５６を有しており、この第２の面１５６に第２の光学フィルタ１６２が保持される。
【００３２】
ここで、第１の光学フィルタ１６１は、光ファイバー１２１より供給される受信光１００ｂを反射し、発光部品１３０が発生する送信光１００ａを透過する性質を有しており、第２の光学フィルタ１６２は、光ファイバー１２１より供給される受信光１００ｂを透過し、発光部品１３０が発生する送信光１００ａを反射する性質を有している。このため、発光部品１３０より発せられた送信光１００ａは第１の光学フィルタ１６１を透過して光ファイバー１２１に供給される一方、光ファイバー１２１より供給される受信光１００ｂは、第１の光学フィルタ１６１を反射することによってその進路を９０°変化させられ、その後、第２の光学フィルタ１６２に対して実質的に垂直に入射し、これを透過して受光部品１４０に供給されることになる。
【００３３】
以上が、本実施形態による光モジュール１００の構成である。
【００３４】
このような構成を有する光モジュール１００では、第２の光学フィルタ１６２が送信光１００ａを反射する性質を有していることから、送信光１００ａが迷光となってメインハウジング１１０内で散乱した場合であっても、これが受光部品１４０に達することなく、第２の光学フィルタ１６２によって遮断される。このため、迷光に起因するノイズを低減することが可能となる。しかも、本実施形態による光モジュール１００では、このような２つの光学フィルタ１６１、１６２を一つのフィルタ保持部材１２０によって保持しており、且つ、このフィルタ保持部材１２０は光ファイバー１２１を保持する役割を兼ねていることから、部品点数を削減することが可能となる。さらに、２つの光学フィルタ１６１、１６２を一つのフィルタ保持部材１２０によって保持していることから、これら光学フィルタ１６１、１６２の位置関係にずれが生じることがほとんど無く、これらを精度良く位置決めすることが可能となる。
【００３５】
尚、フィルタ保持部材１２０に含まれるフィルタ保持部１２３の構造としては、図３に示す構造に限定されず、他の種々の構造を採用することが可能である。
【００３６】
例えば、図４に示すように、第１及び第２の突出部１５２、１５３の形状を平板状としても構わないし、図５に示すように、第１及び第２の突出部１５２、１５３の先端部を一体化させても構わない。さらにまた、図６に示すように、筒状部１５１の内周部分にスライダ１２４のストッパーとなるストッパー部１５７を設けた構造としても構わない。
【００３７】
さらに、図７に示すように、筒状部１５１の内径が所定の傾きを持って形成されていても構わない。筒状部１５１の内径にこのような傾きを持たせれば、第１の部品取り付け部１１１と第２の部品取り付け部１１２を結ぶ直線に対し、所定の傾きを持って光ファイバー１２１を固定することができる。これは、光ファイバー１２１の終端部での反射の影響を低減するために、光軸に対して垂直ではなく、所定の傾きを持って光ファイバー１２１が終端されている場合において、この傾きによる影響を補償し、光ファイバー１２１と発光部品１３０を効率よく結合させることを目的としたものである。光ファイバー１２１と発光部品１３０を効率よく結合させるためには、筒状部１５１の内径の傾きを５°以下に設定すればよい。
【００３８】
図８は、本発明の好ましい他の実施の形態による光モジュール２００の構成を示す断面図である。
【００３９】
本実施形態による光モジュール２００は、第２の光学フィルタ１６２がフィルタ保持部材１２０ではなく、透明窓１４４を備える受光部品１４０上に保持されている点において、図１に示した光モジュール１００と異なっている。このため、本実施形態では、フィルタ保持部材１２０が第２の面１５６を有している必要はなく、受光部品１４０の表面が第２の面として用いられる。本実施形態は、受光部品１４０にレンズ１４２が含まれていないか、或いは、受光部品１４０にレンズ１４２が含まれている場合であってもこれが突出しておらず、入射面側の表面が平坦である場合において好適な構造である。
【００４０】
図９は、本発明の好ましいさらに他の実施の形態による光モジュール３００の構成を示す断面図である。
【００４１】
本実施形態による光モジュール３００は、第２の光学フィルタ１６２が受光部品１４０の内部に保持されている点において、図８に示した光モジュール２００と異なっている。つまり、図８に示した透明窓１４４自体が第２の光学フィルタ１６２の役割を果たしている。このような構成においても、図８に示した光モジュール２００と同様の効果を得ることができる。
【００４２】
本発明は、以上説明した実施の形態に限定されることなく、特許請求の範囲に記載された発明の範囲内で種々の変更が可能であり、それらも本発明の範囲内に包含されるものであることはいうまでもない。
【００４３】
例えば、上記各実施形態では、メインハウジング１１０の第１の部品取り付け部１１１と第２の部品取り付け部１１２を結ぶ直線１１０ａ（図２参照）に対して９０°の角度を持った位置に第３の部品取り付け部１１３が設けられ、これに対応して第１の光学フィルタ１６１がこの直線１１０ａに対して４５°の角度で保持されているが、後者の角度が前者の角度の半分であれば、これら角度がそれぞれ９０°及び４５°である必要はない。
【００４４】
また、上記各実施形態にはいずれも、受信光１００ｂを透過し送信光１００ａを反射する第２の光学フィルタ１６２が備えられているが、本発明において第２の光学フィルタを設けることは必須でなく、これを省略しても構わない。但し、このような第２の光学フィルタを用いれば、上述したように、迷光に起因するノイズを低減することが可能となる。
【図面の簡単な説明】
【００４５】
【図１】本発明の好ましい実施の形態による光モジュール１００の構成を示す断面図である。
【図２】光モジュール１００の分解断面図である。
【図３】フィルタ保持部１２３の構造をより詳細に示す略斜視図である。
【図４】フィルタ保持部１２３の他の構造を示す略斜視図である。
【図５】フィルタ保持部１２３のさらに他の構造を示す略斜視図である。
【図６】フィルタ保持部１２３のさらに他の構造を示す略断面図である。
【図７】フィルタ保持部１２３のさらに他の構造を示す略断面図である。
【図８】本発明の好ましい他の実施の形態による光モジュール２００の構成を示す断面図である。
【図９】本発明の好ましいさらに他の実施の形態による光モジュール３００の構成を示す断面図である。
【図１０】特許文献１に記載された従来の光モジュール１０の構造を示す略断面図である。
【符号の説明】
【００４６】
１００，２００，３００  光モジュール
１００ａ  送信光
１００ｂ  受信光
１１０    メインハウジング
１１０ａ  第１の部品取り付け部と第２の部品取り付け部を結ぶ直線
１１１    第１の部品取り付け部
１１２    第２の部品取り付け部
１１３    第３の部品取り付け部
１２０    フィルタ保持部材
１２０ａ  フィルタ保持部材の取り付け方向
１２１    光ファイバー
１２２    ファイバー被覆
１２３    フィルタ保持部
１２４    スライダ
１２５    フェルール
１３０    発光部品
１３０ａ  発光部品の取り付け方向
１３１    発光素子
１３２    レンズ
１３３    信号ピン
１４０    受光部品
１４０ａ  発光部品の取り付け方向
１４１    受光素子
１４２    レンズ
１４３    信号ピン
１４４    透明窓
１５１    筒状部
１５２    第１の突出部
１５３    第２の突出部
１５４    リング部
１５５    第１の面
１５６    第２の面
１５７    ストッパー部
１６１    第１の光学フィルタ
１６２    第２の光学フィルタ
【図１】
2005202157.tif 000003
【図２】
2005202157.tif 000004
【図３】
2005202157.tif 000005
【図４】
2005202157.tif 000006
【図５】
2005202157.tif 000007
【図６】
2005202157.tif 000008
【図７】
2005202157.tif 000009
【図８】
2005202157.tif 000010
【図９】
2005202157.tif 000011
【図１０】
2005202157.tif 000012